(57)【要約】【課題】簡単に安全確実に誰でも均一な飲料抽出ができる手段を提供する。【解決手段】抽出カップ２３に機能性フィルタ４３を装着し、抽出材４５と抽出液４７を入れて抽出室７内に装着する。扉１１を閉じてマグネトロン１３の動作を開始すると電磁シールド１７内で抽出液４７が加熱されて抽出が加速し、温度上昇により機能性フィルタ４３が抽出液４７を通過させ、開口２５，２９より抽出受け用カップ３１内に滴下させる。滴下の量が飽和すると、荷重センサ３５によりこれを検出してマグネトロン１３の動作を停止させる。【選択図】  図１
2005046165.tif 000002
【特許請求の範囲】
【請求項１】
少なくとも被加熱物を電磁波によって加熱するための電磁波発生装置を有する機械室部と下方に第１の開口を有する抽出室部と前記抽出室部下方に位置する抽出液受けカップ室部と少なくとも前記抽出室部と前記抽出液受けカップ室部とにまたがる一体の扉とを有する筐体と、
常温では水分を透過させず水の沸騰点近傍の温度で水分を透過させる機能性フィルタを装着し抽出液を滴下させるために前記抽出室の下方の第１の開口に合致する第２の開口を有する抽出用カップと、
前記抽出液受けカップ室内に配置し前記抽出用カップの第２の開口から前記抽出室部の第１の開口を介して滴下した抽出液を受ける抽出液受けカップと、
前記電磁波発生装置と前記抽出室部と少なくとも前記扉の前記抽出室部を覆う部分とを包囲する電磁シールドとを備え、
前記機能性フィルタ内に抽出材と抽出液を納めた前記抽出用カップを前記抽出室に設置して前記電磁波発生装置から発生する電磁波によって前記電磁シールド内で加熱し、前記抽出液の温度上昇により前記機能フィルタを抽出液が通過して前記第２、第１の開口を経由して抽出液が前記抽出液受けカップ室内に配置した前記抽出液受けカップに滴下するようにし、かつ前記扉を開放したときには前記電磁波発生装置の動作を停止するよう構成したことを特徴とする飲料抽出装置。
【請求項２】
前記抽出室部と前記抽出液受けカップ室部とにはそれぞれ上下に相対応する位置に複数組の抽出用カップと抽出液受けカップとを収容できることを特徴とする請求項１に記載の飲料抽出器。
【請求項３】
前記筐体の扉のうち前記抽出液受けカップ室部分は少なくとも手を内部に挿入できない程度のものであることを特徴とする請求項１または２に記載の飲料抽出装置。
【請求項４】
前記電磁シールドに加えて前記抽出液受けカップ室部と少なくとも前記扉の前記抽出液受けカップ室部を覆う部分とを包囲する第２の電磁シールドを備えたことを特徴とする請求項１または２に記載の飲料抽出装置。
【請求項５】
抽出液受けカップの荷重を測定する荷重センサをさらに備え、抽出液受けカップに抽出液が入り終わったことを検出することを特徴とする請求項１ないし４のいずれかに記載の飲料抽出装置。
【請求項６】
抽出用カップに対応する抽出液受けカップが抽出液受けカップ室に配置されていないときは電磁波発生装置が作動しないことを特徴とする請求項１ないし５のいずれかに記載の飲料抽出装置。
【請求項７】
抽出が完了したことを前記加重センサによって検出するまでは扉を開かないように表示しまたは扉を開けないようにロックすることを特徴とする請求項５または６に記載の飲料抽出装置。
【発明の詳細な説明】
【０００１】
【発明の属する技術分野】
本発明は茶、コーヒー、薬草等の抽出材を抽出液に浸し電磁波で加熱することにより抽出液中に抽出材から成分を抽出するときに、抽出液が一定温度になるまで抽出液の通過を防止するための機能性フィルタを用い抽出終了とともに加熱を停止することができる飲料抽出装置に関する。
【０００２】
【従来の技術】
従来、茶、コーヒー、薬草・健康飲料等をそれぞれの抽出材料から抽出する方法の一つとして、コーヒーの場合を例にとると、たとえば図８の従来の抽出装置の断面図のように、カップ５１に挽いたコーヒー豆５３を所定量入れたパック５５を入れ、パック５５に結んだ糸５７の先に付けたタグ５９をカップ５１の外に垂らして落下を防ぎ、上から加熱した湯６１を注入してコーヒー豆５３から抽出していた。
【０００３】
【発明が解決しようとする課題】
このような従来の抽出方法ではパックをおいておく時間とか湯の温度とかが難しく、薄すぎたり、逆に濃すぎたり濃度が一定せず、また時間が長すぎると、苦みや渋みが出たりして旨い味を出すのが難しかった。
【０００４】
本発明はこのような従来の課題を解決しようとするもので、低温では液体を透過させず、高温の液体を透過させる機能性フィルタと電子レンジの電磁波を用いて抽出液を加熱し、機能性フィルタを通じて抽出滴下させ、抽出終了とともに加熱を自動的に止めることのできる飲料抽出装置を提供するものである。
【０００５】
【課題を解決するための手段】
上記の課題を解決するための本発明の飲料抽出装置は、基本の構成として、少なくとも被加熱物を電磁波によって加熱するための電磁波発生装置を有する機械室部と下方に第１の開口を有する抽出室部と前記抽出室部下方に位置する抽出液受けカップ室部と少なくとも前記抽出室部と前記抽出液受けカップ室部とにまたがる一体の扉とを有する筐体と、常温では水分を透過させず水の沸騰点近傍の温度で水分を透過させる機能性フィルタを装着し抽出液を滴下させるために前記抽出室の下方の第１の開口に合致する第２の開口を有する抽出用カップと、前記抽出液受けカップ室内に配置し前記抽出用カップの第２の開口から前記抽出室部の第１の開口を介して滴下した抽出液を受ける抽出液受けカップと、前記電磁波発生装置と前記抽出室部と少なくとも前記扉の前記抽出室部を覆う部分とを包囲する電磁シールドとを備え、前記機能性フィルタ内に抽出材と抽出液を納めた前記抽出用カップを前記抽出室に設置して前記電磁波発生装置から発生する電磁波によって前記電磁シールド内で加熱し、前記抽出液の温度上昇により前記機能フィルタを抽出液が通過して前記第２、第１の開口を経由して抽出液が前記抽出液受けカップ室内に配置した前記抽出液受けカップに滴下するようにし、かつ前記扉を開放したときには前記電磁波発生装置の動作を停止するよう構成したことを特徴とするものである。
【０００６】
この構成により抽出カップ内に収容した抽出液を電磁波発生装置から発生した電磁波により範囲の狭い電磁シールド内で加熱することにより、少ない電磁波電力によって抽出でき、抽出液の温度上昇により機能性フィルタが抽出液の通過を許容することによりばらつきの少ない抽出を行うことができ、抽出受けカップは加熱範囲外であるから、抽出後に過加熱されることなく、飲み頃な抽出液を得ることができる。
【０００７】またこの構成を拡張した基本の構成として、前記抽出室部と前記抽出液受けカップ室部とにはそれぞれ上下に相対応する位置に複数組の抽出用カップと抽出液受けカップとを収容できることもできる。
【０００８】
この構成によって、複数の抽出カップを同時に加熱して複数の抽出受けカップに抽出することができる。
【０００９】
また上記の基本、または拡張した基本構成において、前記筐体の扉のうち前記抽出液受けカップ室部分は少なくとも手を内部に挿入できない程度のものとすることができ、これにより扉の構成を簡略にできる。
【００１０】
また上記の基本、または拡張した基本構成において、前記電磁シールドに加えて前記抽出液受けカップ室部と少なくとも前記扉の前記抽出液受けカップ室部を覆う部分とを包囲する第２の電磁シールドを備えることができる。
【００１１】
この構成によって、第１の電磁シールドから僅かに電磁波が漏れても人体への影響がないように防ぐことができる。
【００１２】
また上記の基本、または拡張した基本構成において、抽出液受けカップの荷重を測定する荷重センサをさらに備え、抽出液受けカップに抽出液が入り終わったことを検出する構成とすることができる。
【００１３】
この構成によって抽出が完了したことを確実に検知することができ、加熱を止めて不要な電力の浪費を防ぐことができる。
【００１４】
また上記の基本、または拡張した基本構成において、抽出用カップに対応する抽出液受けカップが抽出液受けカップ室に配置されていないときは電磁波発生装置が作動しないようにすることができる。
【００１５】
これにより抽出液受けカップを入れ忘れて、抽出液受けカップ室内に抽出液が散乱することを防ぐことができる。
【００１６】
さらに荷重センサを有する構成において、抽出が完了したことを前記加重センサによって検出するまでは扉を開かないように表示しまたは扉を開けないようにロックすることができ、この構成によって抽出が終わらないうちに取り出そうとして抽出液が散乱することを防ぐことができる。
【００１７】
【発明の実施の形態】
（実施の形態１）
以下図面を用いて本発明の実施の形態１における飲料抽出装置について説明する。図１は本発明の実施の形態１における飲料抽出装置であって、（ａ）は平面図、（ｂ）は側断面図、図２は同じくその斜視図、図３は同じく抽出状態を示す説明図である。
【００１８】
飲料抽出装置１において、筐体３は図１の左側が正面であり、金属またはプラスチックで形成され、機械室５と抽出室７と抽出液受けカップ室９と扉１１とに大別される。機械室５には電磁波発生装置としてのマグネトロン１３とプラスチック等の非導電材料で作られ、マグネトロン１３から発生した電磁波を放射する電磁放射窓１５のほか図示しないがマグネトロン制御回路基盤等が納められ、第１の電磁シールド１７によって電磁波成分が外部へ漏洩することを防いでいる。
電磁シールド１７はマグネトロン１３の外周、抽出室７、および扉１１の少なくとも抽出室部分１９を包囲するように設けられている。扉１１の部分の電磁シールドは蝶番２１で抽出室７部分の電磁シールドと電気的に連結されている。
【００１９】
扉１１は少なくとも全面はガラス張り等にして内部の様子がわかるようにするのが好ましく、この透明部分は細かいパンチングメタル等により電磁シールド効果を持っていて、蝶番２１によって矢印Ａ−Ｂ方向に回動して開閉でき、閉じたときには図示しないロック機構によってロックすることができる。これらの部分は従来公知の技術であるから特に詳細は省く。そうしてマグネトロン１３から放射された電磁波は、電磁放射窓１５から抽出室７へ向けて放射される。
【００２０】
抽出室７には抽出用カップ２３が挿入される。抽出用カップ２３は、たとえばポリプロピレン等の非導電材料で真空成形または射出成形等で底のある略円筒形に形成され底面中央に１または複数の小さな開口２５が設けられ、抽出した抽出液が滴下するようになっている。必要によって持ち運びのためのハンドル等を設ける。
【００２１】
抽出室７においては正面（図１の左方）と上方の一部とは抽出用カップ２３を出し入れする開口となっており、扉１１によって閉ざされている。電磁放射窓１５の前方には抽出用カップ２３を保持するガード２７が、非導電性の材料、たとえばプラスチック等で形成され、そして底面には開口２９が設けられ、抽出用カップ２３の開口２５と合致しており、この開口２９の径は余り大きくすると電磁波の漏れが生ずるので、好ましくない。マグネトロン１３の発振周波数が２．４５ＧＨｚとすれば波長は約１２０ｍｍとなり、その１／１６以下の径、すなわち７．５ｍｍまでは可能であるが、安全を見て６ｍｍ以下とする。または、開口径をこれより大とするならば、電磁シールドと接続し、これより小さな孔を複数設けたパンチングメタル、または電磁シールドと接続した金属網を取り付ければよい。
【００２２】
ここには図示を省略するが、抽出用カップ２３を装着したことを検出する安全スイッチ手段を設ける。この安全スイッチ手段は抽出用カップが装着されたことを検出し、それによりマグネトロン１３への通電可否を制御するためのもので、安全スイッチ手段には導電性部分が含まれるため、電磁シールド１７の外部に設ける必要があり、非導電性のレバーなどで抽出用カップ２３の存在を安全スイッチ手段に機械的に伝達するように構成しておく。
【００２３】
抽出室７下部には抽出液受けカップ室９が配置され、開口２９から滴下した抽出液を受ける抽出液受けカップ３１を配置できるように台座３３があり、この台座３３の下には荷重検出器である荷重センサ３５を配置し、この出力は機械室５内の制御回路基板に接続されて台座３５の上に載置された抽出液受けカップと抽出液の荷重を検出できるようになっている。
【００２４】
筐体３の適宜の箇所、この図では上方には電源スイッチボタン３７およびスタートボタン３９が配置されている。
【００２５】
さらに抽出受けカップ室９の周囲と、扉１１の抽出受けカップ室９前面の部分とに第２の電磁シールド４１を施すこともできる。これは第１の電磁シールド１７による遮蔽にもかかわらず開口２９が大きくて、そこから僅かな電磁波が漏れる場合、より安全を期すために設けるもので、そのような目的の場合、第１の電磁シールド１７ほど厳重な遮蔽効果がなくても差し支えない。
【００２６】
抽出用カップ２３には、機能性フィルタ４３が載置されるようになっており、必要に応じて抽出用カップ２３の内面には機能性フィルタ４３が密着して抽出力が低下しないように底面から上方に向けて放射状のリブを設ければよい。
【００２７】
機能性フィルタ４３は抽出用カップ２３の形状に合わせてプレス等で形成するか、エンボス加工や熱圧着などの方法で形成すればよい。
【００２８】
この機能性フィルタ４３は、低温の液体は透過させず、水の沸騰点に近い高温の液体を透過させるように働くものであればよい。機能性フィルタの第１の例を示せば、パルプ繊維でできた紙、パルプ繊維、綿またはポリエチレン、ポリプロピレン等の繊維で作られた織物または不織布など、または細孔を設けたプラスチック等を基材とし、この繊維の間、またはプラスチック等の細孔を目詰まりするように所定温度近辺で溶解する熱可溶性材料を塗布または含浸させたものである。
【００２９】
この熱可溶性材料は、食用に適したものであって、余り味もなく、所定温度以下の温度では液体を通過しにくく、所定温度以上の温度では通過しやすくできることを要し、たとえば寒天がこの条件に合致して好適である。寒天は天草などの紅藻類の海藻に存在する粘性物質を熱水抽出し水分を除去したもので、融点は８０度Ｃないし１００度Ｃ、凝固点は３５度Ｃないし４５度Ｃ程度というヒステリシス特性を持っている。
【００３０】
他に熱可溶性材料として、カラギナン、ファーセレラン、ジュランガム、澱粉、加工澱粉より選ばれる少なくとも１種以上の糊料が同様に有効である。また用途は限定されるが糖質の飴状物質なども用いることができよう。
【００３１】
この機能性フィルタ４３は、上記のように繊維に寒天を含浸させた単層のものでもよいが、寒天を塗布または含浸させて目詰まりを起こさせた機能性フィルタと通常の濾過フィルタとをラミネートしたものでも差し支えなく、その他種々の変形が可能である。
【００３２】
機能性フィルタ４３の第２の例として、ポリエステル、ポリオレフィン等の疎水性熱融着性繊維を、たとえば湿式法で厚さ方向に略直線状の径約７０〜２５０μｍの微細孔を有する不織布に形成した第１の不織布層と、ポリプロピレン、ポリエチレン等の疎水性熱融着性繊維を不織布に形成した第２の不織布層とを積層し第１の不織布層の微細孔が第２の層の繊維で適度にふさがれ、このフィルタが常温の水に対して通液性がなく、加熱された水はこのフィルタに対する表面張力が低下することを利用した機能性フィルタを用いてもよい。
【００３３】
本発明においては、このほか、上記のような、低温の液体は透過させず、水の沸騰点に近い高温の液体を透過させるように働く性質を持った素材であれば機能性フィルタとして用いることができる。
【００３４】
このように構成され、つぎにその動作を図３を用いて説明する。まず電源スイッチボタン３７を押し、抽出用カップ２３に機能性フィルタ４３を載せ、抽出材４５（この場合コーヒー粉）と抽出液４７（この場合、水）をそれぞれ所定量入れ、抽出用カップ２３を抽出室７内に納める。
【００３５】
ここでスタートボタン３９を押すと安全スイッチが抽出用カップ２３を検出し、さらに荷重センサ３５が抽出受けカップ３１の載置を検出し、かつ扉の安全スイッチにより扉１１が閉じられておれば制御回路によりマグネトロン１３が発振を開始し、電磁放射窓１５を通って抽出用カップ２３内に電磁波が放射され、抽出液４７は加熱される。これは抽出受けカップ３１が載置されていないまま始動して、抽出された熱い抽出液が抽出用カップ室９に落下して散乱するのを防ぐためである。
【００３６】
電源オンとともに荷重センサ３５は荷重Ｂの検出を開始する。荷重Ｂは抽出カップ２３と台座３３の重さ＋滴下した抽出液４７の重さである。電源オン当初はカップ２３と台座３３の重さそのものを計量する。台座３３にカップ２３が載置されていないと、滴下した抽出液を受けることができないので、スタートボタン３９が押されてもマグネトロン１３が発振しないようにすることもでき、その場合文字表示などでカップ忘れを警告するのが親切であろう。
【００３７】
抽出材は抽出液である水が注入されてから抽出が始まるが、低温の間は抽出の程度が少ないが、抽出液４７が高温になるほど抽出は進行する。一方抽出液４７の温度Ａは加熱により時間とともに上昇するが、機能性フィルタ４３からの抽出液４７の滴下はカーブＢのように機能性フィルタ４３の働きにより、ある時刻Ｃから始まり、徐々に滴下量が多くなり時刻Ｄを過ぎると大部分の抽出材が滴下してしまい荷重センサ３５にかかる総重量が飽和する。検出にはＢが所定量を超えたことを検出してもよいが、その場合カップ２３の重量が一定していることと、抽出液４７の量が一定である必要があり、カーブＢの飽和を検出すればこの問題を回避できる。
【００３８】
つぎに、抽出液の滴下が完了していないうちに扉１１を開けることに対する安全対策を講じる必要がある。一般に電子レンジの場合は、扉の開放によりマグネトロンの動作を停止するような安全手段を講じているが、本実施形態ではさらに扉を開放して抽出受けカップ３１を取り出してしまうと、抽出中の熱い抽出液が抽出受けカップ室９内に落ちてきて危険な場合もある。そのために扉１１にロック装置をさらに追加して、加重センサ３５が抽出の終了を検出しない間は、このロックを解放しないようにすることもできる。
【００３９】
またはロックを設けないまでも光、音響などで抽出完了を報知するとか、抽出が済むまでは「扉を開かないでください。」等の表示を示す等の配慮は必要であろう。
【００４０】
以上のようにこの実施形態によれば、抽出用カップ２３に機能性フィルタ４３をセットしてその中に抽出材４５と抽出液４７を入れ、抽出用カップ２３を筐体３の抽出室７に装着すれば電源の準備ができ、スタートボタン３９を押すことでマグネトロン１３が動作して加熱が始まり、抽出が終われば荷重センサ３５の変化から検出でき、マグネトロン１３の動作が停止するので、抽出終了とともに加熱が終了し、加熱しすぎることによる渋みや苦みを生ずることなく誰でも手軽に均一の味の飲料を抽出できる。
【００４１】
また、第１の電磁シールド１７により加熱される範囲が狭く限定されるので、比較的小さなマグネトロン１３でよく、電力も節約できるものである。
【００４２】
また、抽出液４７を受ける抽出液受けカップや荷重センサ等が第１の電磁シールドの外にあるので、金属製のカップや、電磁調理器に入れられないカップ等も使用でき、金属部品を含む荷重センサをシールドする手間を要しない。
【００４３】
また抽出液受けカップが第１の電磁シールドの外にあるため、抽出し終わった抽出液がさらに加熱されることがなく、すぐに飲用できる適度な温度保つことができる。
【００４４】
さらに、第１のシールド１７だけでは完全に電磁波の漏洩を防止できないときには、第２の電磁シールドを付加することができ、人体への安全度を高めることができる。
【００４５】
なお、ここではコーヒーの抽出の例を挙げたが、コーヒーに限らず、緑茶、紅茶、ハーブティ、薬草等何にでも適用することができる。
【００４６】
（実施の形態２）
図４は本発明の実施の形態２における飲料抽出器の正面図、図５は同じくその斜視図である。上述の実施の形態１における図１，図２との差異は、扉１１ａの、抽出用カップ室９の前面の部分が閉じてなく、のぞき窓１１ｂ、１１ｃを設けてあることである。機能的には、この部分を解放にすると、抽出が終わらないうちに抽出受けカップ３１が取り出され、滴下した抽出液が溢れたり、手に掛かって火傷することを防ぐためのものである。
【００４７】
このような構成においては実施の形態１のように第２の電磁シールドを設けることは意味がないので、第１の電磁シールドからの電磁波漏れが完全に防止できる場合に実施することができる。その他の構成や動作は実施の形態１の場合と同様であり、説明の重複を省く。
【００４８】
（実施の形態３）
図６は本発明の実施の形態３における飲料抽出器の図面で（ａ）は側断面図、（ｂ）は正面図、図７は同じくその動作を説明するフローチャートである。実施の形態１，２との差異は筐体３ａ内の抽出室７ａと抽出液受けカップ室９ａ内にそれぞれ３組の抽出用カップ２３ａ，２３ｂ，２３ｃと抽出液受けカップ３１ａ，３１ｂ，３１ｃを配置したことである。もちろんこれに対応して３組の台座３３ａ，３３ｂ，３３ｃおよび加重センサ３５ａ，３５ｂ，３５ｃも必要である。図示しないが抽出カップに対応する安全スイッチも３組必要となる。その他の点は実施の形態１、２と同様であり、詳細な説明を省く。
【００４９】
このように構成され、つぎに実施の形態１と異なる動作のみ図７を用いて説明する。ステップＳ１で電源スイッチ３７を入れる。ステップＳ２で抽出用カップ２３ａ，２３ｂ，２３ｃのすべて、または少なくとも１つが装着されたことを装着された抽出用カップに対応する安全スイッチで検出する。ステップＳ３で少なくとも装着した抽出用カップに対応するすべての抽出受けカップが台座に載置されているかを確認して、スタートスイッチをオンにできるようになる。ステップＳ４でスタートスイッチ３９をオンにすると、ステップＳ５でドア１１ａが閉じているかどうかを確認し、閉じていればステップＳ６でマグネトロン１３がスタートする。載置されていない場合は何らかの方法で告知するのが親切である。これは抽出受け用カップがないまま抽出して、抽出受けカップ室９ａ内に抽出液が散乱するのを防ぐためである。
【００５０】
そしてステップＳ７で荷重センサ３５ａ〜３５ｃにより、抽出が行われているすべての抽出受けカップ３１ａ〜３１ｃの抽出が終わったかどうかをチェックし、終わればステップＳ８でマグネトロン１３の動作が停止し、実施の形態１と同様な方法で抽出受けカップが取り出せるようになる。ステップＳ９で電源スイッチ３７をオフにして、全動作を終了する。
【００５１】
このように本実施形態によれば、複数の抽出カップを収容し同時に複数の抽出ができ、その際抽出カップの下に抽出受けカップがなければ始動できず、またすべての抽出受け用カップに抽出液の滴下が終了しなければ取り出せないか、または取り出さないように警告することによって誤った操作で装置を汚したり、火傷を負ったりする不都合や危険を防止できるものである。
【００５２】
なお、ここでは３組の抽出ができるように説明したが、２組でも４組でもよいのはいうまでもない。
【００５３】
【発明の効果】
以上説明したように本発明の飲料抽出装置によれば、電磁シールドの範囲が限定されているので、僅かな電力で抽出ができ、抽出後の抽出液受けカップには電磁波が照射されないので過加熱されず飲み頃となり、カップが熱くて持てないということがない。
【００５４】
また抽出中には取り出せないか、取り出しを防止する手段を講じるために人体に安全である。
【００５５】
このように安価に、簡単に、安全確実に誰でも均一な飲料抽出ができるという有利な効果が得られる。
【図面の簡単な説明】
【図１】本発明の実施の形態１における飲料抽出装置
（ａ）平面図
（ｂ）側断面図
【図２】同じくその斜視図
【図３】同じく抽出状態を示す説明図
【図４】本発明の実施の形態２における飲料抽出器の正面図
【図５】同じくその斜視図
【図６】本発明の実施の形態３における飲料抽出装置
（ａ）側断面図
（ｂ）正面図
【図７】同じくその動作を説明するフローチャート
【図８】従来の抽出方法の説明図
【符号の説明】
３  筐体
５  機械室
７  抽出室
９  抽出受けカップ室
１１  扉
１３  マグネトロン
１７  第１の電磁シールド
２３  抽出用カップ
２５  第２の開口
２９  第１の開口
３１  抽出液受けカップ
４１  第２の電磁シールド
３３  台座
３５  荷重センサ
４３  機能性フィルタ
４５  抽出材
４７  抽出液
【図１】
2005046165.tif 000003
【図２】
2005046165.tif 000004
【図３】
2005046165.tif 000005
【図４】
2005046165.tif 000006
【図５】
2005046165.tif 000007
【図６】
2005046165.tif 000008
【図７】
2005046165.tif 000009
【図８】
2005046165.tif 000010